(57)【要約】【課題】新築時や改築時における間仕切りの設置位置変更にかかる手間や費用を少なくできる床構造を提供する。【解決手段】本発明に係る床構造１は、床スラブ２と、床スラブの上に所定の間隔で配置された防振ゴム付きの支持脚３と、支持脚の上に形成された床板構成部４とを備え、床板構成部４は、支持脚の上に形成された板部４１と、板部の上に形成された強化板部４２と、強化板部の上に形成された床仕上げ部４３とにより構成され、強化板部は、少なくとも一層が高強度板部４５により形成された二層以上の層により構成され、高強度板部４５は、板面に垂直に荷重を加えた場合のヤング率が４．０１×１０４ｋｇｆ／ｃｍ２以上であることを特徴とした。【選択図】図１
2010216131.tif 000002
【特許請求の範囲】
【請求項１】
床スラブと、床スラブの上に所定の間隔で配置された防振ゴム付きの支持脚と、支持脚の上に形成された床板構成部とを備え、床板構成部は、支持脚の上に形成された板部と、板部の上に形成された強化板部と、強化板部の上に形成された床仕上げ部とにより構成され、強化板部は、少なくとも一層が高強度板部により形成された二層以上の層により構成され、高強度板部は、板面に垂直に荷重を加えた場合のヤング率が４．０１×１０４ｋｇｆ／ｃｍ２以上であることを特徴とする床構造。
【請求項２】
強化板部は、複数層の高強度板部により形成されたことを特徴とする請求項１に記載の床構造。
【請求項３】
強化板部は、一層の高強度板部と一層の構造用合板部とが積層されて形成されたことを特徴とする請求項１に記載の床構造。
【請求項４】
高強度板部と構造用合板部とが接着剤により接着されて積層されたことを特徴とする請求項３に記載の床構造。
【発明の詳細な説明】
【技術分野】
【０００１】
本発明は、二重床と呼ばれる床構造に関する。
【背景技術】
【０００２】
床スラブと、床スラブの上に所定の間隔で配置された防振ゴム付きの支持脚と、支持脚の上に形成された床板構成部とを備えた二重床と呼ばれる床構造が知られている。上記床板構成部は、支持脚の上に形成された板部と、板部の上に形成された合板部と、合板部の上に形成された床仕上げ部とにより構成される（例えば、特許文献１等参照）。
【先行技術文献】
【特許文献】
【０００３】
【特許文献１】特開２００６−２８９５２号公報
【発明の概要】
【発明が解決しようとする課題】
【０００４】
従来、間仕切りを設置する位置は、床板構成部上における複数の支持脚の直上位置としていた。間仕切りの設置位置を複数の支持脚の直上位置とする理由は、床板構成部上における複数の支持脚の直上位置より外れた位置に間仕切りを設置した場合、床板構成部が撓んで沈み込んで、床の水平度が悪くなったり、間仕切りの位置に近い床板構成部の上を人が歩いた場合、間仕切りと床板構成部とが動いて擦れあったりしてきしみ音が発生しやすくなるからである。従って、床板構成部の床面の水平度を維持できて、きしみ音の発生を防止できるように、従来、床構造を構築する場合、まず間仕切りを設置する位置を決めてから、その間仕切りを設置する位置に合わせて床スラブ上に複数の支持脚を配置していた。
しかしながら、新築時において床構造を構築した後に施主より間仕切りの設置位置を変えたいという要望があった場合や、改築時において間仕切りの位置を変えたいという場合には、床構造を解体して、間仕切りを設置する位置に合わせて支持脚の設置位置を変えなくてはならなかった。即ち、従来の床構造によれば、間仕切りの設置位置を変更する際には、多大な手間、費用がかかるといった問題点があった。
本発明は、新築時や改築時における間仕切りの設置位置変更にかかる手間や費用を少なくできる床構造を提供する。
【課題を解決するための手段】
【０００５】
本発明に係る床構造は、床スラブと、床スラブの上に所定の間隔で配置された防振ゴム付きの支持脚と、支持脚の上に形成された床板構成部とを備え、床板構成部は、支持脚の上に形成された板部と、板部の上に形成された強化板部と、強化板部の上に形成された床仕上げ部とにより構成され、強化板部は、少なくとも一層が高強度板部により形成された二層以上の層により構成され、高強度板部は、板面に垂直に荷重を加えた場合のヤング率が４．０１×１０４ｋｇｆ／ｃｍ２以上であることを特徴としたので、当該強化板部を複数の支持脚の上に設置したことによって支持脚の防振ゴムを弾性変形許容範囲内で沈み込ませることができ、間仕切りが複数の支持脚の直上位置より外れた強化板部上、又は、床仕上げ部上に設置された場合においても間仕切りによる床板構成部の沈み込みを少なくできる。従って、間仕切りを複数の支持脚の直上位置より外して設置しても、床板構成部の床面の水平度を維持できて、きしみ音の発生を防止できるようになり、強化板部上、又は、床仕上げ部上の任意の位置に間仕切りを自由に設置できるようになるので、新築時や改築時における間仕切りの設置位置変更にかかる手間や費用を少なくできる。
強化板部は、複数層の高強度板部により形成されたので、支持脚の防振ゴムを弾性変形許容範囲内でより沈み込ませることができ、間仕切りが複数の支持脚の直上位置より外れた強化板部上、又は、床仕上げ部上に設置された場合においても間仕切りによる床板構成部の沈み込みをより少なくできる。従って、間仕切りを複数の支持脚の直上位置より外して設置しても、床板構成部の床面の水平度をより維持できて、きしみ音の発生をより防止できるようになる。
強化板部は、一層の高強度板部と一層の構造用合板部とが積層されて形成されたので、間仕切りを複数の支持脚の直上位置より外して設置しても、床板構成部の床面の水平度をより維持できて、きしみ音の発生をより防止できるようになる。
高強度板部と構造用合板部とが接着剤により接着されて積層されたことにより、強化板部の強度が上がるので、間仕切りを複数の支持脚の直上位置より外して設置しても、床板構成部の床面の水平度をより維持できて、きしみ音の発生をより防止できるようになる。
【図面の簡単な説明】
【０００６】
【図１】床構造を示す断面図（形態１）。
【図２】（ａ）は支持脚の配置態様を示す平面図、（ｂ）は床構造を示す断面図（形態２）。
【図３】（ａ）は支持脚の配置態様を示す平面図、（ｂ）は床構造を示す断面図（形態３）。
【図４】（ａ）は支持脚の配置態様を示す平面図、（ｂ）は床構造を示す断面図（形態４）。
【図５】（ａ）は支持脚の配置態様を示す平面図、（ｂ）は床構造を示す断面図（形態５）。
【図６】床構造を示す断面図（形態７）。
【図７】床構造を示す断面図（形態８）。
【発明を実施するための形態】
【０００７】
形態１
図１に示すように、床構造１は、床スラブ２と、床スラブ２の上に所定の間隔で配置された防振ゴム付きの支持脚３と、支持脚３の上に形成された床板構成部４とにより形成される。
【０００８】
支持脚３は、床スラブ２上に設置される防振ゴム３１と、下部が防振ゴム３１に取付けられて防振ゴム３１に支持される例えば金属製の支柱３２と、支柱３２の上端部に設けられた台座３３とを備える。支柱３２の上部の外周面は図外の雄ねじ部に形成される。
台座３３は、例えばパーティクルボードや構造用合板などで形成される。台座３３は、台座３３の上下面に貫通する図外の貫通孔を備え、この貫通孔内には当該貫通孔を上下に貫通する金属製の筒３４が固定され、この金属製の筒３４の内周面は図外の雌ねじ部に形成される。
つまり、支持脚３は、支柱３２の上部の外周面に形成された雄ねじ部の雄ねじと金属製の筒３４の内周面に形成された雌ねじ部の雌ねじとのねじ嵌合により、台座３３が支柱３２に対して上下に移動可能に構成され、台座３３のレベル（高さ）を調整可能である。
【０００９】
床板構成部４は、板部４１と、板部４１の上に形成された強化板部４２と、強化板部４２の上に形成された床仕上げ部４３とにより構成される。
【００１０】
板部４１は、床スラブ２上に所定の間隔を隔てて設置された複数の支持脚３の台座３３上に跨るように水平に並べられた例えば複数のパーティクルボード４１Ａにより形成される。
パーティクルボード４１Ａは、例えば、長方形平板に形成される。パーティクルボード４１Ａの具体的な一例としては、例えば図２に示すように、厚さｔが２０ｍｍ、長辺の長さａが１８２０ｍｍ、短辺の長さｂが６００ｍｍである。
【００１１】
強化板部４２は、一層の高強度板部４５と一層の構造用合板部４６とが積層されて形成される。
一層の高強度板部４５は、板部４１の上に水平に並べられた複数の高強度板４５Ａにより形成される。当該高強度板４５Ａは、板面に垂直に荷重を加えた場合のヤング率が４．０１×１０４ｋｇｆ／ｃｍ２以上のものを用いる。例えば、板厚９．５ｍｍ又は板厚１２．５ｍｍの石膏ボードを用いる。
一層の構造用合板部４６は、高強度板部４５の上に水平に並べられた複数の構造用合板４６Ａにより形成される。当該構造用合板４６Ａは、例えば、ＪＡＳ規格の針葉樹合板であって、板厚１２ｍｍのものを用いる。
【００１２】
床仕上げ部４３は、強化板部４２の上に、例えば、フローリング、カーペット、石板、絨毯、畳などにより形成される。
【００１３】
次に床構造１及び間仕切り５０の構築方法を説明する。まず、床スラブ２上に所定の間隔で複数の支持脚３を設置する。支持脚３は、台座３３が、互いに隣り合うように敷設された各パーティクルボード４１Ａの下面７を支持するように配置される。支持脚３の台座３３と各パーティクルボード４１Ａとが釘などの固定具によって互いに連結される。複数の支持脚３の台座３３の上に板部４１を形成する各パーティクルボード４１Ａを並べるとともに、台座３３のレベルを調整することによって、強化板部４２を設置するための設置面のレベルを調整する。即ち、レベル調整された各パーティクルボード４１Ａにより形成された板部４１の上に、複数の高強度板４５Ａを水平に並べて設置することによって、一層の高強度板部４５を形成する。一層の高強度板部４５の上に、複数の構造用合板４６Ａを水平に並べて設置することによって、一層の構造用合板部４６を形成する。一層の高強度板部４５と一層の構造用合板部４６とが積層されて形成された強化板部４２上の任意の位置にランナー５１を鋲などの固定具５９で固定し、所定の間隔で設置される間柱５２の下端をランナー５１内に嵌め込んで、間仕切り下地を形成し、間柱５２に石膏ボードなどの下地ボード５３を取付けた後に、下地ボード５３の表面に壁クロスのような壁仕上げ材５４を取付けて間仕切り５０を形成する。即ち、この間仕切り５０は、強化板部４２と板部４１と支持脚３とによって支持される。そして、強化板部４２上に床仕上げ部４３を取付ける。以上により、床構造１及び間仕切り５０が形成される。
【００１４】
形態１に係る床構造１によれば、床板構成部４は、一層の高強度板部４５と一層の構造用合板部４６とが積層されて形成された強化板部４２を備えたので、当該強化板部４２を複数の支持脚３の上に設置したことによって支持脚３の防振ゴム３１を弾性変形許容範囲内で沈み込ませることができ、間仕切り５０が複数の支持脚３の直上位置より外れた強化板部４２上に設置された場合においても間仕切り５０による床板構成部４の沈み込みを少なくできる。
つまり、強化板部４２を複数の支持脚３の上に設置したことによって支持脚３の防振ゴム３１を弾性変形許容範囲内で沈み込ませているので、間仕切り５０が複数の支持脚３の直上位置より外れて設置された場合において、間仕切り５０の位置に近い床板構成部４の上を人が歩いた場合でも、間仕切り５０と床板構成部４とが動きにくくなるので、間仕切り５０と床板構成部４とが擦れあったりすることによるきしみ音の発生が少なくなる。
また、間仕切り５０が複数の支持脚３の直上位置より外れた強化板部４２上に設置された場合においても間仕切り５０による床板構成部４の沈み込みを少なくできるので、床板構成部４の床面（床仕上げ部４３による床仕上げ面）の水平度を維持できる。
よって、間仕切り５０を複数の支持脚３の直上位置より外して設置しても、床板構成部４の床面の水平度を維持できて、きしみ音の発生を防止できるようになるので、強化板部４２上の任意の位置に間仕切り５０を自由に設置できるようになる。
従って、本形態１の床構造によれば、新築時において強化板部４２まで施工した後に施主の意向に応じて間仕切り５０を設ける位置を自由に決めることができたり、改築時において間仕切り５０の位置を変えたい場合には、古い間仕切りを撤去して強化板部４２上に新しい間仕切りを取付けるだけでよくなり、従来のように、床板構成部４を解体して支持脚３の位置を変えたりする必要がなくなるので、新築時や改築時における間仕切り５０の設置位置変更にかかる手間や費用を少なくできる。
【００１５】
形態２
図２に示すように、壁面６０の近く、即ち、壁際に設ける壁際支持脚３ａは、防振ゴム３１の硬度が７０°のものを用い、壁際以外の位置に設ける中央側支持脚３ｂは、防振ゴム３１の硬度が６５°のものを用いる。そして、パーティクルボード４１Ａの長辺に沿って配置される壁際支持脚３ａの配置間隔は４４５ｍｍ、パーティクルボード４１Ａの短辺に沿って配置される壁際支持脚３ａの配置間隔は３００ｍｍ、パーティクルボード４１Ａの長辺に沿って配置される中央側支持脚３ｂの配置間隔は４４５ｍｍ、パーティクルボード４１Ａの短辺に沿って配置される中央側支持脚３ｂの配置間隔は６００ｍｍとした。
形態２においても、間仕切り５０を複数の支持脚３の直上位置より外して設置しても、床板構成部４の床面の水平度を維持できて、きしみ音の発生を防止できるようになるので、強化板部４２上の任意の位置に間仕切り５０を自由に設置できるようになる。
【００１６】
形態３
形態２の支持脚の配置に追加して、図３に示すように、パーティクルボード４１Ａの短辺同士が隣り合う部分において、パーティクルボード４１Ａの短辺に沿って配置される中央側支持脚３ｂの配置間隔を３００ｍｍとした。
形態３においては、形態２よりも、さらに、床板構成部４の沈み込みを少なくできるので、床板構成部４の床面の水平度をより維持できて、きしみ音の発生をより防止できるようになる。
【００１７】
形態４
支持脚の配置間隔を形態２と同じにするが、図４に示すように、中央側支持脚３ｂとして壁際支持脚３ａと同じ構成のものを用いた。
形態４によれば、中央側の床板構成部４の沈み込みを少なくできるので、床板構成部４の床面の水平度をより維持できて、きしみ音の発生をより防止できるようになる。
【００１８】
形態５
図５に示すように、中央側支持脚３ｂの配置間隔を壁際支持脚３ａの配置間隔と同じにした。つまり、図２に示す形態２の支持脚の配置に追加してパーティクルボード４１Ａのすべての短辺に沿って配置される中央側支持脚３ｂの配置間隔を３００ｍｍとした。
形態５によれば、形態３よりも、さらに、床板構成部４の沈み込みを少なくできるので、床板構成部４の床面の水平度をより維持できて、きしみ音の発生をより防止できるようになる。
【００１９】
形態６
高強度板部４５と構造用合板部４６とが接着剤により接着されて積層された構造の強化板部４２とすることにより、強化板部４２の強度が上がるので、間仕切り５０を複数の支持脚３の直上位置より外して設置しても、床板構成部４の床面の水平度をより維持できて、きしみ音の発生をより防止できるようになる。
【００２０】
形態７
強化板部４２を、複数層の高強度板部４５により形成してもよい。例えば、図６に示すような、二層の高強度板部４５により強化板部４２を形成してもよい。この場合も、強化板部４２の強度が上がるので、間仕切り５０を複数の支持脚３の直上位置より外して設置しても、床板構成部４の床面の水平度をより維持できて、きしみ音の発生をより防止できるようになる。
【００２１】
形態８
図７に示すように、強化板部４２を、一層の高強度板部４５により形成してもよい。一層の高強度板部４５は、板部４１の上に水平に並べられた複数の上記高強度板４５Ａにより形成される。この構成でも、従来に比べて床板構成部４の強度が上がるので、間仕切り５０を複数の支持脚３の直上位置より外して設置しても、床板構成部４の床面の水平度を維持できて、きしみ音の発生を防止できるようになる。
【産業上の利用可能性】
【００２２】
床仕上げ部４３の上に間仕切り５０を設けるようにしてもよい。
【００２３】
形態１において、一層の構造用合板部４６の上に一層の高強度板部４５を積層して強化板部４２を形成してもよい。
【符号の説明】
【００２４】
１  床構造、２  床スラブ、３  支持脚、４  床板構成部、
４１  板部、４２  強化板部、４３  床仕上げ部、
４５  一層の高強度板部、４５Ａ  高強度板、４６  一層の構造用合板部、
４６Ａ  構造用合板。
【図１】
2010216131.tif 000003
【図２】
2010216131.tif 000004
【図３】
2010216131.tif 000005
【図４】
2010216131.tif 000006
【図５】
2010216131.tif 000007
【図６】
2010216131.tif 000008
【図７】
2010216131.tif 000009